【事件の表示】
　平成　７年特許願第３０２２６５号「文字認識方法」拒絶査定不服審判事件〔平成　９年　５月１６日出願公開、特開平　９−１２８４８３〕について、次のとおり審決する。
【結　論】
　本件審判の請求は、成り立たない。
【理　由】
第１　手続きの経緯
　本願は、平成７年１０月２７日の出願であって、平成１８年３月１７日付けで拒絶査定がなされ、これに対して平成１８年４月２７日に拒絶査定不服審判の請求がなされるとともに、同年５月２５日に手続補正がなされたものである。
　
第２　平成１８年５月２５日付けの手続補正についての補正却下の決定
［補正却下の決定の結論］
　平成１８年５月２５日付けの手続補正（以下、「本件補正」という。）を却下する。
　
［理由］
１．補正後の本願発明
　本件補正により、特許請求の範囲の請求項１は、
　「【請求項１】　カードに形成された文字を光学的に読取り、画像処理により文字認識する文字認識方法において、
　認識対象とする一連のカード群で一定の、文字の形成方法による区分、文字の属性、カード上の文字開始位置、文字ピッチ又は文字間隔、総文字数又は文字終了位置からなる文字の配置に関する情報、を初期設定データとし、その初期設定データに基づいて、搬送手段、読取手段、照明手段、画像処理手段を制御する演算制御手段の制御下で、
　前記搬送手段が間欠搬送することを含めてカードを前記文字の配置に関する情報に基づいて所定の読取位置に搬送し、
　前記読取手段がカード面の読取範囲を前記文字の配置に関する情報に基づいて分割して読取り、
　前記照明手段が所望の照明方向に該当する光源を前記文字の配置に関する情報と前記文字の形成方法による区分に基づいて選択的に点灯しカードの文字を照明し、
　画像処理手段が前記読取手段で文字を読み取って得た画像データを前記文字の形成方法による区分と前記文字の属性に基づいて画像処理し、
　文字認識を行うことを特徴とする文字認識方法。」
と補正された。
　上記補正は、請求項１に記載した発明を特定するために必要な事項について限定を付加するものであって、平成１８年改正前特許法１７条の２第４項２号の特許請求の範囲の減縮を目的とするものに該当する。
　そこで、本件補正後の請求項１に記載された発明（以下、「本願補正発明」という。）が特許出願の際独立して特許を受けることができるものであるか否か（平成１８年改正前特許法１７条の２第５項において準用する同法１２６条５項の規定に適合するか）について以下に検討する。
　
２．引用刊行物
（１）原査定の拒絶の理由に引用された特開平２−１４３９１号公報（以下、「引用例１」という。）には、以下の事項及び図面が記載されている。
　
　ア　「本発明はＯＣＲ文字等を用いてデータの記録された所定の形状のカード状のデータ記憶媒体（カード）からその記録データを読取る装置におけるデータ読取方法に関するもので、
特に同一の読取装置がデータの記録位置や記録様式の異なる複数種のカードからデータを読取るための方法に関する。」（１ページ右下欄１４行〜２０行）
　
　イ　「【従来の技術】
　カード、券等に印字などにより記録されたデータを読取る装置としては、本出願人の先願になる「特願昭６２−２９５１８１号「読み取り収納装置」がある。この装置は、挿入されたカードのデータ位置（印字位置）が文字読取ヘッド位置に合致する迄、カードを搬送し、その後読取ヘッドをカードの搬送方向と直角の方向に移動させて記録されたＯＣＲ文字のデータを読取るものである。
【発明が解決しようとする課題】
　しかしながら前記のような読取装置では、予め定められた記録位置や記録様式をもったカード専用につくられているため、同一の検出ヘッドを用いて読取ができる筈のカードであっても、データの記録位置が異ったり、データの桁数やデータ照合方法の違い等があると、容易には読取ができない。
（中略）
　また少数ながら複数の記録様式をもったカードを取扱うような読取装置も存在するが、このような装置は、予め各様式の内容を読取り装置内に登録しておく必要があり、取扱えるカードの種類が制限されてしまうとか、ＯＣＲ文字などを読取る場合には、その印字位置が規定されてしまい自由な券面構成ができないという欠点があった。
　そこで本発明の課題は、カードに本来の記録データのほかに、その共通の位置に、所定の様式で、そのカードに記録された本来のデータの位置や様式を示す案内データを記録しておき、まずこの案内データを走査させ、その走査結果に基づいて本来のデータを読取らせる方法を提供することにより、
　同一の読取装置を用いながら、予め装置内に登録しなくても、本来のデータの記録位置や記録様式の異なるカードも取扱うことができる様にすることにある。」（２ページ左上欄３行〜左下欄２０行）
　
　ウ　「【課題を解決するための手段】
　前記の課題を解決するための本発明の方法は、『データの記録された所定の形状のカード状のデータ記憶媒体（１など、以下カードという）を所定の方向へ搬送する搬送手段（カード搬送用モータ２３など）、
　前記カードの搬送位置を検出する位置検出手段（位置検知センサ１２など）、
　この位置検出手段に対し所定の関係位置に配設され、前記カード内のデータを走査するデータ走査手段（読取ヘッド１３など）、
　を備え、
　前記データのうち本来のデータ（データ部４などのデータの記録位置や記録様式が異なる複数種のカード内のデータを読取る装置において、前記カード内の共通の関係位置（アドレス部３の位置（カード先端中央部）など）に、所定の様式で当該のカード内の前記の本来のデータの記録位置、記録様式等を示す案内データ（アドレス部３内のデータＸ、Ｙ、Ｆ、Ｌなど）を記録すると共に、
　前記位置検出手段の検出後、必要に応じ前記搬送手段を介し、前記データ走査手段が前記案内データを走査し得る位置まで、当該のカードを搬送させたのち、
　前記データ走査を介してこの案内データを走査させ、
　この走査内容に基づいて、さらに前記搬送手段を介し、前記データ走査手段が前記の本来のデータを走査し得る位置まで当該のカードを搬送させたうえ、
　前記データ走査手段を介してこの本来のデータを走査させるように』するものとする。
【作　用】
　この発明は、予めカードの共通の位置に、本来読取るべきデータの記録位置、記録様式（コード内容、桁数、データ照合方法など）を示す案内データを定められた様式で記録しておき、この案内データを先に読取ることによって、読取ヘッドの走査範囲やデータ解読の方法を変更することによって、予め装置内に様式を登録しなくても記録様式の異なる複数のカードのデータ内容を読取ることを可能とするものである。」（２ページ右下欄１行〜３ページ右上欄３行）
　
　エ　「第１図では各カード１Ａ、１Ｂ内の共通の位置にそれぞれアドレス部３が設けられており、このアドレス部３には当該のカードのデータ部４内におけるデータの記録位置、記録様式を示す案内データが印字されている。そして、予めアドレス部３の内容（案内データ）を読取り、データ部４がどこに設けられているかを知ることによって、以後の読取動作を可能とするものである。
　このアドレス部３の構成は次の通りである。第１桁目（最高位桁）はデータ部４の開始位置のＸ座標、第２桁目は同Ｙ座標、第３桁目は１行の桁数Ｆ、第４桁目（最下位桁）は行数Ｌを示す。」（３ページ右上欄８行〜２０行）
　
　オ　「第３図はこの読取装置の制御回路の機能ブロック図である。同図において、２５はこの装置全体を制御する制御部、２１は位置検知センサ１１、１２の検出信号を処理して制御部２５に伝えるセンサ処理部、２２は読取ヘッド１３の読取信号から文字を判別して制御部２５に伝える文字判別部である。２３はカード１を搬送するために図外のコンベアを駆動するステップモータなどのカード搬送用モータ、２４は読取ヘッド１３のＳ方向への移動走査を行わせるモータとしてのヘッド走査用モータで、この各モータ２３，２４は制御部２５によって制御駆動される。」（３ページ右下欄５行〜１５行）
　
　カ　「第４図において、まず位置検知センサ１１を介してカード１の挿入を検知すると（ステップ１０１，分岐Ｙ）、カード搬送用モータ２３を正転させカード１をＣ方向へ搬送する（ステップ１０２）。
　そして次の位置検知センサ１２を介してカード１が、そのアドレス部３に対する走査が可能な位置（この例では第２図Ｐの位置）まで搬送されて来たことを判別すると（ステップ１０３，分岐Ｙ）、カード搬送用モータ２３を停止させ（ステップ１０４）、ヘッド走査用モータ２４を駆動して読取ヘッド１３をＳの走査方向へ移動させつつ、さらに文字判別部２２を介し、アドレス部３の内容Ｘ、Ｙ、Ｆ、Ｌを読取り、それぞれの読取内容を記憶部２６内の対応する領域２７〜３０へ格納する（ステップ１０５）。
　次にこのアドレス部３における２桁目の内容、即ちデータ部４の開始位置のＸ座標であって記憶部２６内の部分領域２８に格納されてなるデータＹに基づいて、カード搬送用モータ２３を該格納データＹに対応する所定量、正転させて、カード１をさらにＣの方向へ搬送させ（ステップ１０６）、カード１がデータ部４の先頭の行に対する走査が可能な位置まで搬送されたことを判別すると（ステップ１０７，分岐Ｙ）、カード搬送用モータ２３を停止させ（ステップ１０８）、第５図に述べるようにデータ部４の読取りを行わせる（ステップ１０９）。
　即ち第５図において、まずアドレス部３における１桁目の内容、即ちデータ部４の開始位置のＸ座標であって記憶部２６内の部分領域２７に格納されてなるデータＸの位置まで、ヘッド走査用モータ２４を介し読取ヘッド１３を移動させる（ステップ２０１）。
　次にヘッド走査用モータ２４を介しさらに読取ヘッド１３をＸ座標の増加する方向へ移動させつつ文字を読取らせ、読取られた文字の桁数がアドレス部３の３桁目の内容、即ちデータ部４の１行の桁数であって、記憶部２６内の部分領域２９に格納されてなるデータＦの桁数に達するまで、この走査読取の動作を行わせる（ステップ２０２）。
　次にアドレス部３の４桁目の内容、即ちデータ部４の行数Ｌであって、記憶部２６内の部分領域３０に格納されてなるデータＬをデクリメントし（ステップ２０３）、この残りの行数Ｌが０でなければ（ステップ２０４，分岐Ｎ）、再びカード搬送用モータ２３を介して、カード１を１行分だけ搬送して、前記ステップ２０１、２０２の動作を繰返し、データ部４の次の行のデータを読取らせる。このようにしてステップ２０１〜２０５の動作を繰返し、残りのデータ行数Ｌが０となったことを判別すると（ステップ２０４，分岐Ｙ）このデータ読取動作を終了する。」（４ページ左上欄７行〜左下欄１６行）
　
　これらの記載及び図面によれば、引用例１には、
　「カードに記録されたＯＣＲ文字等を読取り、文字判別するデータ読取方法において、
　データの記録位置や記録様式の異なる複数種のカードの共通の関係位置に、所定の様式で、当該カード内のデータの記録位置（データ部４の開始位置のＸ座標、同Ｙ座標、１行の桁数Ｆ、行数Ｌ）、記録様式（コード内容、桁数、データ照合方法等）を示す案内データを記録し、
　カードが挿入されると、案内データを先に読取り、読取内容を記憶部に格納し、
　制御部２５によって、案内データに基づいて、所定量カード搬送用モータ２３を駆動してカードを搬送し、案内データに基づいて、ヘッド走査用モータ２４を駆動して読取ヘッド１３を移動させてデータ部４の読取りを行わせ、文字判別部２２に文字を判別させ、
　１行分のデータを読取ると、カード搬送用モータ２３を介して、カード１を１行分だけ搬送して、データ部４の次の行のデータを読取らせる、
データ読取方法。」
の発明（以下、「引用発明」という。）が記載されていると認める。
　
（２）原査定の拒絶の理由に引用された特開平６−２６６９０７号公報（以下、「引用例２」という。）には、以下の事項が記載されている。
　
　ア　「【０００１】
【産業上の利用分野】本発明はエンボスデータ、会員番号等の個人識別情報を有するＩＣカードのＩＣ部に、識別情報に対応する個人データを書き込むＩＣカード発行処理システムに関するものである。」
　
　イ　「【００１５】図４に示すように、エンボス部２が形成されているカード１に対して、斜め上方４方向から照明装置Ａ〜Ｄによって照明できるようになっており、図５に示すように、台１１に載せられたカード１に対して、照明コントローラ１４で照明を順次切り換えて照明する。各照明によって照明されたカードのエンボス文字は、照明方向に応じた特有の陰影及び反射を呈し、これをその上方に配置されたＣＣＤカメラ１２で読み取り、読み取った画像データは画像処理装置１３で２値化処理等の処理が行われる。２値化処理に際しては、カードに付された地紋等エンボス文字付近の印刷の影響を受けないように、予めエンボスが形成されていないカード表面を読んで画像濃度ヒストグラムを作成し、地紋がカットされるようなしきい値を設定するか、あるいは地紋のシェーディング画像を作成して、読み取った画像からシェーディング画像を除くようにすればよい。こうして２値化処理された画像データはホストコンピュータ１５で文字認識されるとともに、表示される。ホストコンピュータ１５には、あらかじめ認識すべきフォントデータが登録されており、読み取った画像と登録されたフォントデータとの比較を行う。この比較は、読み取った画像の文字特有の特徴量、及びパターンマッチングを行って文字を特定するものであり、この比較により文字が認識される。」
　
　ウ　「【００１８】また、エンボス文字以外の文字読み取りの場合には、通常のＯＣＲ文字読み取りと同じ手順で行う。但し、カードの地紋等印刷と文字とのコントラストが十分とれなかったり、アルミ粉などの入った金属光沢の強いインキが地紋に使用されている等の場合は、エンボス文字の場合と同様に、予めカード表面を読んで画像濃度ヒストグラムを作成し、地紋がカットされるようなしきい値を設定するか、あるいは地紋のシェーディング画像を作成して、読み取った画像からシェーディング画像を除くようにする。また、個別に特殊な照明、例えば、赤外光を光源として使用することにより、墨インキを使った部分以外の影響を除去して文字のみを浮き上がらせるようにする。」
　
（３）原査定の拒絶の理由に引用された特開平２−１６６５７７号公報（以下、「引用例３」という。）には、以下の事項が記載されている。
　
　ア　「（作用）
　まず、磁気ヘッドによりカードの磁気ストライプに書き込まれた上記情報が読出される。次いで磁気カード斜め上方のライン光源からの照射を受け磁気カード平面からの正反射光を受光する位置に設けたイメージセンサによりカード平面部は明るくエンボスの上面と横面ば暗く、全体としては明るいカード平面上にエンボスは暗いイメージ情報として浮かび上がる。このイメージ情報をイメージセンサで読出した上で、文字・記号の認識処理を行なって、エンボス表示された金融機関名、口座番号、氏名等を文字コード化する。一方、磁気ヘッドが読出す磁気ストライプにも金融機関名、口座番号、氏名等が書込まれているので、カードから読出した双方のデータが一致すれば基本的に前記カードは正常であるとの判定がなされる。
　さらに、印刷されたカード名もイメージセンサで読出したり、金融機関マークの色彩模様をカラーセンサでチェックすれば、改ざんされたカードによる不正取引の防止は確実になされる。」（２ページ右上欄１行〜２０行）
　
　イ　「光学読出し部１３には、磁気カード９のエンボスや表面に印刷した模様および振込券３の印字文字を読出すイメージセンサ１５と、印刷色の色彩模様を読出すカラーセンサ１６とが取付けられる。イメージセンサ１５はＣＣＤなどライン状に多数並んだ受光素子で構成され、エンボスの凸起イメージを読出す場合は、ＬＥＤアレイ１７Ａを点灯し、磁気カード９の印刷模様や振込券３の印字文字など平面のイメージを読出す場合には、ＬＥＤアレイ１７Ｂを点灯する。カラーセンサ１６は磁気カード９の金融機関マークなど特徴のある色が印刷されている位置に取付けられ、ＬＥＤアレイ１７Ｃで照射された反射光を受光する。第４図にエンボスの凸起イメージの読み取り機構の概念図を示す、第４図において、ＬＥＤアレイ１７Ａが磁気カード９の上面を照射する光軸角と、イメージセンサ１５が磁気カード９からの反射光を受光する光軸角とが等しく、磁気カード９の上面で正反射となるよう光学系を調整しておく、ＬＥＤアレイ１７Ａの発光は、スリット１８でライン状にカットされ、磁気カード９を照射する。一方イメージセンサ１５側は、この磁気カード９表面上のライン光を受光するようレンズ１９を配置しておく。このような位置関係で、磁気カード９と光学読出し部１３との位置を相対的に変える（第４図では光学系を移動）と、イメージセンサ１５の受光量は磁気カード９の平面部では多く、エンボスの上面と横面では少ない。すなわちエンボスのみが暗く浮かび上がるので、この明暗イメージからエンボスを読出すことができる。
（中略）
イメージセンサ１５から得た磁気カード９のエンボスや振込券３の印字文字はイメージセンサ制御部から文字認識部に入力され、文字コード化される。」（３ページ左上欄１行〜右上欄２０行）
　
３．対比
　そこで、本願補正発明と引用発明とを対比する。
（１）引用発明における「カードに記録されたＯＣＲ文字等」は、印刷等により「形成」されることは明らかであるから、本願補正発明の「カードに形成された文字」に相当する。
　引用発明は、「ＯＣＲ文字等を読取り、文字判別する」ものであることから、技術常識からみて、「光学的に」読取り、「文字認識」しているといえる。
　したがって、引用発明と本願補正発明とは、「カードに形成された文字を光学的に読取り、文字認識する文字認識方法」である点で共通する。
（２）引用発明の「データの記録位置や記録様式の異なる複数種のカード」と、本願補正発明の「認識対象とする一連のカード群」とは、「認識対象とするカード」である点で共通する。
　引用発明の「カード内のデータの記録位置（データ部４の開始位置のＸ座標、同Ｙ座標、１行の桁数Ｆ、行数Ｌ）、記録様式（コード内容、桁数、データ照合方法等）を示す案内データ」のうち、「カード内のデータの記録位置（データ部４の開始位置のＸ座標、同Ｙ座標、１行の桁数Ｆ、行数Ｌ）」は、「カード上の文字の配置に関する情報」といえる。また、前記「記録様式（コード内容、桁数、データ照合方法等）」と、本願補正発明の「文字の形成方法による区分、文字の属性」とは、いずれも「記録様式」に関する情報と総称できる。
　さらに、引用発明の前記「案内データ」は、「カードが挿入されると、案内データを先に読取り、読取内容を記憶部に格納」するものであり、カードの搬送及びデータ部の読取りを制御するためのデータであるから、本願補正発明の「初期設定データ」に対応する「文字認識に用いる」データということができる。
　したがって、両者は、「認識対象とするカードの、記録様式、文字の配置に関する情報、を文字認識に用いる初期設定データ」とする点で一致する。
（３）引用発明の「カード搬送用モータ２３」、「ヘッド走査用モータ２４」と「読取ヘッド１３」からなる構成は、その機能から、それぞれ本願補正発明の「搬送手段」、「読取手段」に相当する。
　また、引用発明の「文字判別部２２」と本願補正発明の「画像処理手段」は、いずれも文字を認識する機能を備えることから、両者は、「文字認識手段」である点で共通するといえる。
　そして、引用発明の「制御部２５」は、前記「案内データ」に基づいて、「カード搬送用モータ２３」、「ヘッド走査用モータ２４」並びに「読取ヘッド１３」、「文字判別部２２」等を制御し、データ読取りを行わせることから、本願補正発明の「演算制御手段」に対応し、引用発明と本願補正発明とは、「初期設定データに基づいて、搬送手段、読取手段、文字認識手段を制御する演算制御手段の制御下で」文字認識を行う点で共通する。
（４）引用発明は、「カード内のデータの記録位置」を含む「案内データ」に基づいて、所定量カード搬送用モータ２３を駆動してカードを搬送」し、「ヘッド走査用モータ２４を駆動して読取ヘッド１３を移動させてデータ部４の読取りを行わせ、文字判別部２２に文字を判別」させ、さらに、「１行分のデータを読取ると、カード搬送用モータ２３を介して、カード１を１行分だけ搬送して、データ部４の次の行のデータを読取らせる」ことから、「間欠搬送」により、カードを所定の読取位置に搬送し、１行ごとに「分割」して読取っているということができ、引用発明と本願補正発明とは、「搬送手段が間欠搬送することを含めてカードを前記文字の配置に関する情報に基づいて所定の読取位置に搬送」する点及び「読取手段がカード面の読取範囲を前記文字の配置に関する情報に基づいて分割して読取」る点で一致する。
（５）文字判別部２２は、読取ヘッド１３からのデータを処理して文字判別していることは明らかであるから、「文字認識手段が読取手段で文字を読み取って得たデータを処理し、文字認識を行う」点で一致する。
　
　以上を踏まえると、本願補正発明と引用発明とは次の一致点、相違点がある。
　【一致点】
　「カードに形成された文字を光学的に読取り、文字認識する文字認識方法において、
　認識対象とするカードの、記録様式、文字の配置に関する情報、を文字認識に用いる初期設定データとし、その初期設定データに基づいて、搬送手段、読取手段、文字認識手段を制御する演算制御手段の制御下で、
　前記搬送手段が間欠搬送することを含めてカードを前記文字の配置に関する情報に基づいて所定の読取位置に搬送し、
　前記読取手段がカード面の読取範囲を前記文字の配置に関する情報に基づいて分割して読取り、
　文字認識手段が前記読取手段で文字を読み取って得たデータを処理し、
　文字認識を行う文字認識方法。」
　【相違点１】
　本願補正発明は、認識対象とする「一連のカード群で一定」の情報を初期設定データとするのに対し、引用発明は、認識対象とする複数種のカードに記録された案内データを、カードごとに読取り、初期設定データとする点。
　具体的には、複数種のカードに対応するために、本願補正発明は、文字認識装置が、認識対象とする複数のカードの文字認識に用いる情報を、初期設定データとして備えているのに対し、引用発明は、認識対象とする各カードがそれぞれ文字認識に用いる情報を備えており、文字認識装置は、カードが挿入されると、カードから前記情報を読取り、初期設定データとしている点。
　【相違点２】
　文字認識に用いる「記録様式、文字の配置に関する情報」が、本願補正発明は、「文字の形成方法による区分、文字の属性、カード上の文字開始位置、文字ピッチ又は文字間隔、総文字数又は文字終了位置からなる文字の配置に関する情報」であるのに対し、引用発明は、「記録様式、文字の配置に関する情報」の内容が本願補正発明と異なる点。
　【相違点３】　
　本願補正発明は、演算制御手段により制御され、「照明手段が所望の照明方向に該当する光源を前記文字の配置に関する情報と前記文字の形成方法による区分に基づいて選択的に点灯しカードの文字を照明」する「照明手段」を備えるのに対し、引用発明には「照明手段」について特定されていない点。
　【相違点４】
　本願補正発明は、「画像処理」により文字認識するものであり、「画像処理手段」が、「文字を読み取って得た画像データを文字の形成方法による区分と前記文字の属性に基づいて画像処理」するのに対し、引用発明は、「画像処理」により文字認識すること及び「文字認識手段」による処理については特定されていない点。
　
４．判断
　以下、相違点について検討する。
（１）相違点１について
　複数種のカードに対応するために、文字認識装置が、認識対象とする複数のカードの文字認識に用いる情報を、初期設定データとして備えることは、引用例１の前掲「２．（１）イ」に、「従来の技術」として、「複数の記録様式をもったカードを取扱うような読取装置も存在するが、このような装置は、予め各様式の内容を読取り装置内に登録しておく必要」があったと記載されているように、本願出願前に公知であった。
　前記事実にかんがみれば、引用発明において、文字認識装置が、カード挿入ごとにカードから文字認識に用いる情報を読み取ることに代え、前記「従来の技術」のように、文字認識装置に、複数のカードの文字認識に用いる情報を一定の情報として、あらかじめ登録しておき、「初期設定データ」とすることは、当業者が容易になし得たことである。
　
（２）相違点２について
　カードの「記録様式」として、ＯＣＲ文字の他、エンボス文字、刻印文字等の「文字の形成方法」があること、また、文字の書体、サイズ、色等の「文字の属性」の違いがあることは周知である。
　例えば、引用例２及び３には、前掲「２．（２）」、「２．（３）」のとおり、文字が「エンボス」で形成されたカードの文字認識に係る技術が記載されており、さらに、同「２．（２）イ」には、「ホストコンピュータ１５には、あらかじめ認識すべきフォントデータが登録されており、読み取った画像と登録されたフォントデータとの比較を行う。」と記載されていることから、「文字の属性」である「文字の書体」を登録し、文字認識に用いることが記載されている。
　また、「文字の配置」は、引用発明に特定された、「データの記録位置（データ部４の開始位置のＸ座標、同Ｙ座標、１行の桁数Ｆ、行数Ｌ）」に限らず、文字開始位置、文字ピッチ又は文字間隔、総文字数又は文字終了位置によっても特定できることは、当業者にとって自明であり、「文字の配置」に関する情報として、両者は等価といえる。
　複数種のカードの文字認識に必要な「初期設定データ」は、認識対象とするカードの種類に応じて選択されるものであり、引用発明において、対象とする複数種のカードが特定されれば、「記録様式、文字の配置に関する情報」として、上記周知の情報の中から認識に必要な情報を特定することは、当業者が容易になし得ることである。
　したがって、相違点２は格別のこととはいえない。
　
（３）相違点３について
　カードに形成された文字を光学的に読取り、文字認識する文字認識に係る技術分野において、照明手段を用いることは、例えば、引用例２、引用例３に記載があるように、周知の技術手段である。
　さらに、引用例３には、前掲「２．（３）イ」に、「エンボスの凸起イメージを読出す場合は、ＬＥＤアレイ１７Ａを点灯し、磁気カード９の印刷模様や振込券３の印字文字など平面のイメージを読出す場合には、ＬＥＤアレイ１７Ｂを点灯する」、すなわち、所望の照明方向に該当する光源を、「文字の配置」と「文字の形成方法」に基づいて選択的に点灯することが記載されている。また、照明手段を、選択的に点灯するにあたり、何らかの演算制御手段により制御することは自明である。
　したがって、引用発明において、相違点３に係る構成を採用することは、当業者が容易に想到し得たものである。
　
（４）相違点４について
　カードに形成された文字を光学的に読取り、文字認識する文字認識方法に係る技術分野において、画像データを、「文字の形成方法」や「文字の属性」に応じた画像処理方法により画像処理し、文字認識することは、周知の技術手段である。
　例えば、引用例２の前掲「２．（２）」、には、エンボス文字とＯＣＲ文字について、それぞれ異なる画像処理を行うことが記載されている。
　したがって、引用発明において、相違点４に係る構成を採用することは、当業者が容易に想到し得たものである。
　
　そして、本願補正発明の奏する作用効果は、各引用例に記載された発明及び周知技術の奏する作用効果から予測される範囲内のものにすぎず、格別顕著なものということはできない。
　
　よって、本願補正発明は、引用例１ないし３に記載された発明及び周知技術に基づいて、当業者が容易に発明をすることができたものであるから、特許法２９条２項の規定により、特許出願の際独立して特許を受けることができないものである。
　
５．本件補正についてのむすび
　以上のとおり、本件補正は、平成１８年改正前特許法１７条の２第５項において準用する同法１２６条５項の規定に違反するものであり、同法１５９条１項において読み替えて準用する同法５３条１項の規定により却下されるべきものである。
　
第３　本願発明について
１．本願発明
　平成１８年５月２５日付けの手続補正は、上記のとおり却下されたので、本願の請求項１に係る発明（以下、「本願発明」という。）は、平成１７年１１月４日付けの手続補正書によって補正された明細書及び図面の記載からみて、その特許請求の範囲の請求項１に記載された事項により特定される、以下のとおりのものである。
「【請求項１】　カードに形成された文字を光学的に読取り、画像処理により文字認識する文字認識方法において、認識対象とする一連のカード群で一定の、文字の形成方法による区分、文字の属性、カード上の文字開始位置、文字ピッチ又は文字間隔、総文字数又は文字終了位置からなる文字の配置に関する情報、を初期設定データとし、カード面の読取範囲を前記文字の配置に関する情報に基づいて分割して読取る読取手段、間欠搬送することを含めてカードを前記文字の配置に関する情報に基づいて所定の読取位置に搬送する搬送手段、所望の照明方向に該当する光源を前記文字の配置に関する情報と前記文字の形成方法による区分に基づいて選択的に点灯しカードの文字を照明する照明手段、読取手段で文字を読み取って得た画像データを前記文字の形成方法による区分と前記文字の属性に基づいて画像処理する画像処理手段、を制御して文字認識を行うことを特徴とする文字認識方法。」
　
２．引用刊行物
　原査定の拒絶の理由に引用された引用例１ないし３及びその記載事項は、前記「第２　２．」に記載したとおりである。
　
３．対比・判断
　本願発明は、前記「第２」で検討した本願補正発明から限定事項を省いたものである。
　そうすると、本願発明の発明特定事項をすべて含み、さらに発明特定事項を限定したものに相当する本願補正発明が前記「第２　３．」、「第２　４．」に記載したとおり、引用例１ないし３に記載された発明及び周知技術に基づいて、当業者が容易に発明をすることができたものであるから、本願発明も、同様の理由により、引用例１ないし３に記載された発明及び周知技術に基づいて、当業者が容易に発明することができたものである。
　
４．むすび
　以上のとおりであるから、本願発明は、特許法２９条２項の規定により特許を受けることができないので、他の請求項に係る発明について検討するまでもなく、本願は拒絶されるべきものである。
　よって、結論のとおり審決する。